(57)【要約】      （修正有）【課題】水垢の付着を防止することができ、冷却効率を確保することができる冷却塔用冷却パイプを提供する。【解決手段】冷却塔用冷却パイプは冷却塔１０、と冷却システム２０と、放熱システム３０とを含み、冷却塔１０は、上端に放熱ファン１１が設けられ、下端に空気案内口が開設され、冷却システム２０は、入水パイプ２１と、少なくとも一つの冷却具２２と、排水パイプ２３と、から構成され、冷却具２２は、外周面と内周面とを有し、入水パイプ２１と排水パイプ２３が冷却具２２によって連接され、冷却具２２は、管体で、外周面には水垢の付着を防止するための薄膜が被覆され、放熱システム３０は、吸上げポンプ３１と、吸上げパイプ３２と、排水パイプ３３と、を含み、吸上げポンプ３１が吸上げパイプ３２と排水パイプ３３の間に設けられ、排水パイプ３３の自由端には水散し段３３１が設けられていることを特徴とする。【選択図】図１
0003145807.tif 000002
【実用新案登録請求の範囲】
【請求項１】
冷却塔と、冷却システムと、放熱システムと、を含む冷却塔用冷却パイプにおいて、
前記冷却塔は上端に放熱ファンが設けられており、下端に空気案内口が開設されており、
前記冷却システムは、入水パイプと、少なくとも一つの冷却具と、排水パイプと、から構成され、前記冷却具は、外周面と、内周面と、を有し、前記入水パイプと前記排水パイプが冷却具によって連接されており、前記冷却具は、管体であり、外周面には水垢の付着を防止するための薄膜が被覆されており、
前記放熱システムは、吸上げポンプと、吸上げパイプと、排水パイプと、を含み、前記吸上げポンプが前記吸上げパイプと排水パイプの間に設けられており、前記排水パイプの自由端には水散し段が設けられていることを特徴とする、冷却塔用冷却パイプ。
【請求項２】
前記冷却具の内周面にはテフロン（登録商標）製の薄膜が被覆されていることを特徴とする、請求項１に記載の冷却塔用冷却パイプ。
【請求項３】
前記薄膜はテフロン（登録商標）製のものであることを特徴とする、請求項１に記載の冷却塔用冷却パイプ。
【考案の詳細な説明】
【技術分野】
【０００１】
本考案は、冷却塔に係り、特に水垢の付着を防止することができ、冷却効率を確保することができる冷却塔用冷却パイプに関する。
【背景技術】
【０００２】
ビルには、空気調和装置を設けることが一般であり、なお、空気調和装置を設けると、冷却塔の使用が必要になり、冷却塔は水冷式のものを採用することが多く、冷却パイプ内の熱い水の熱が冷却塔内の冷たい水によって冷却され、熱い水が冷却されているときに、冷却塔内の冷たい水が蒸発され、このとき、冷却パイプの表面に水垢が付着され、水垢の水分は酸化マグネシウムであるので、冷却パイプの表面に水垢が付着されたと、冷却パイプと冷却塔の熱交換効率が低下する。
【０００３】
冷却パイプの表面に水垢が大量に付着されたときには、冷却塔を分解して冷却パイプを外して交換し、又は清潔することが必要であり、そうすると、保全コストが増加するという問題があった。
【考案の開示】
【考案が解決しようとする課題】
【０００４】
本考案の主な目的は、冷却パイプの表面に水垢が付着することなく、冷却パイプと冷却塔の熱交換効率が降下しない冷却塔用冷却パイプを提供することにある。
【０００５】
本考案の次の目的は、冷却パイプの表面に水垢が付着することなく、冷却塔を分解して冷却パイプを外して交換し、又は清潔する必要がなくなり、保全コストを低減することができる冷却塔用冷却パイプを提供することにある。
【課題を解決するための手段】
【０００６】
本考案の請求項１に記載の冷却塔用冷却パイプによると、冷却塔と、冷却システムと、放熱システムと、を含む冷却塔用冷却パイプにおいて、前記冷却塔は、上端に放熱ファンが設けられており、下端に空気案内口が開設されており、前記冷却システムは、入水パイプと、少なくとも一つの冷却具と、排水パイプと、から構成され、前記冷却具は、外周面と、内周面と、を有し、前記入水パイプと前記排水パイプが冷却具によって連接されており、前記冷却具は、管体であり、外周面には水垢の付着を防止するための薄膜が被覆されており、前記放熱システムは、吸上げポンプと、吸上げパイプと、排水パイプと、を含み、前記吸上げポンプが前記吸上げパイプと排水パイプの間に設けられており、前記排水パイプの自由端には水散し段が設けられていることを特徴とする冷却塔用冷却パイプである。
【０００７】
本考案の請求項２に記載の冷却塔用冷却パイプによると、前記冷却具の内周面にはテフロン（登録商標）（ＰＴＦＥ）製の薄膜が被覆されている。
【０００８】
本考案の請求項３に記載の冷却塔用冷却パイプによると、前記薄膜はテフロン（登録商標）（ＰＴＦＥ）製のものである。
【考案の効果】
【０００９】
本考案の冷却塔用冷却パイプによれば、次のような効果がある。
（１）冷却パイプの表面に水垢が付着することなく、冷却パイプと冷却塔の熱交換効率が低下しない。
【００１０】
（２）冷却パイプの表面に水垢が付着しないので、冷却塔を分解して冷却パイプを外して交換し、又は清潔する必要がなくなり、保全コストを低減することができる。
【考案を実施するための最良の形態】
【００１１】
以下、本考案の実施の形態を図面に基づいて説明する。
【００１２】
まず、図１乃至図７を参照する。本考案に係る冷却塔用冷却パイプは、冷却塔１０と、冷却システム２０と、放熱システム３０と、を含む。前記冷却塔１０は、上端に放熱ファン１１が設けられており、下端に空気案内口１２が開設されている。前記冷却システム２０は、入水パイプ２１と、少なくとも一つの冷却具２２と、排水パイプ２３と、から構成され、前記冷却具２２は、外周面と、内周面と、を有し、前記入水パイプ２１と前記排水パイプ２３が冷却具２２によって連接されており、前記冷却具２２は、管体であり、外周面には水垢の付着を防止するための薄膜２２１が被覆されており、前記薄膜２２１はテフロン（登録商標）（ＰＴＦＥ）などのフッ化物である。前記放熱システム３０は、吸上げポンプ３１と、吸上げパイプ３２と、排水パイプ３３と、を含み、前記吸上げポンプ３１が前記吸上げパイプ３２と排水パイプ３３の間に設けられており、前記排水パイプ３３の自由端には水散し段３３１が設けられており、且つ前記水散し段３３１が前記放熱ファン１１の下に設けられている。
【００１３】
また、前記冷却具２２の内周面には薄膜２２２を被覆してもよく、図６及び図７に示すように、前記薄膜２２１はテフロン（登録商標）（ＰＴＦＥ）などのフッ化物である。また、前記冷却具２２は前記冷却塔１０の中央に設けられている。前記冷却具２２は、更に、熱伝導片を含み、前記熱伝導片により前記冷却具２２の熱伝導効率が向上される。
【００１４】
また、図１及び図２を参照する。前記冷却システム２０は、冷却具２２が冷却塔１０の中央に設けられており、且つ前記冷却具２２の二つの開口端がそれぞれ前記入水パイプ２１と前記排水パイプ２３とに連接されており、なお、前記入水パイプ２１と前記排水パイプ２３と冷却箇所とからクローズド回路が形成され、前記放熱システム３０の吸上げパイプ３２が前記冷却塔１０の下端に固定されており、前記排水パイプ３３が前記冷却塔１０の上端に貫通している。
【００１５】
次に、図１、図２及び図５を参照しながら本考案の冷却動作を説明する。冷却システム２０により冷却水がクローズド回路を循環しており、前記入水パイプ２１内の水は冷却しようとするものであり温度がより高く、前記入水パイプ２１が前記冷却具２２と連通しており、これにより、冷却しようとする水が冷却塔１０の中央に案内され、前記放熱システム３０により、冷却塔１０の下端にある水は、吸上げられて排水パイプ３３に設けられた水散し段３３１によって散らされるように循環しており、前記水が前記冷却具２２に散らされるので、冷却しようとする水が間接に冷却され、また、冷却塔１０の上端に放熱ファン１１が設けられており、前記放熱ファン１１により空気が下から上に吸上げられ、そうすると、空気が空気案内口１２から進入して冷却塔１０の上端に流動して前記放熱ファン１１を経由して排出され、これにより、前記放熱システム３０は放熱効果を達成することができる。また、冷却しようとする水が前記冷却具２２を経由しているときには、外部の冷却水により冷却しようとする水が快速に冷却される。また、前記冷却具２２の内周面又は外周面にはテフロン（登録商標）製の薄膜２２１が被覆されており、前記薄膜２２１により、冷却パイプの表面に水垢が付着することなく、冷却パイプと冷却塔の熱交換効率が降下せず、そして冷却塔を分解して冷却パイプを外して交換し、又は清潔することも必要なくなり、保全コストを低減することができる。
【００１６】
このように、本考案が、特定の実施例を参照して説明されたが、それらの実施例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１７】
【図１】本考案の実施例１に係る冷却塔用冷却パイプの概略図
【図２】本考案の実施例１に係る冷却塔用冷却パイプの斜視図
【図３】本考案の実施例１に係る冷却塔用冷却パイプの正面図
【図４】本考案の実施例１に係る冷却塔用冷却パイプに薄膜が被覆された状態の概略図
【図５】本考案の実施例１に係る冷却塔用冷却パイプの冷却動作を示す概略図
【図６】本考案の実施例２に係る冷却塔用冷却パイプの斜視図
【図７】本考案の実施例２に係る冷却塔用冷却パイプの断面図
【符号の説明】
【００１８】
１０    冷却塔
１１    放熱ファン
１２    空気案内口
２０    冷却システム
２１    入水パイプ
２２    冷却具
２３    排水パイプ
３０    放熱システム
３１    吸上げポンプ
３２    吸上げパイプ
３３    排水パイプ
２２１  薄膜
２２２  薄膜
３３１  水散し段
【図１】
0003145807.tif 000003
【図２】
0003145807.tif 000004
【図３】
0003145807.tif 000005
【図４】
0003145807.tif 000006
【図５】
0003145807.tif 000007
【図６】
0003145807.tif 000008
【図７】
0003145807.tif 000009